【事件の表示】
　平成１０年特許願第１８００６６号「弾球遊技機」拒絶査定に対する審判事件［平成１２年１月１１日出願公開、特開２０００−５４１７］について、次のとおり審決する。
【結　論】
　本件審判の請求は、成り立たない。
【理　由】
１．手続の経緯・本願発明
　
　本願は、平成１０年６月２６日の出願であって、本願明細書について平成１３年１１月２０日付けの手続補正書による補正は、本審決と同日付けで決定をもって却下された。
　したがって本願の請求項１に係る発明（以下、「本願発明」という。）は、平成１３年７月２３日付けの手続補正書により補正された特許請求の範囲の請求項１に記載された事項により特定されるとおりの以下のものである。
「【請求項１】　複数ビットからなり並列に送信されるコマンドデータと該コマンドデータと分けられストローブ信号線を介して前記コマンドデータの送信に合わせて送信されるストローブ信号とを通信可能にハーネスを介して接続された少なくとも二つの制御部と、該制御部間の通信方向を一方向に規制する通信方向規制手段とを具備し、前記二つの制御部は、遊技を司り当否判定などの遊技状態を判断する主制御部と、該主制御部と接続され当りの場合に当り図柄を確定表示する図柄制御部とであり、前記通信方向規制手段が前記主制御部側のポート部に設けられるとともに、前記図柄制御部はキャパシタを備えたポート部を含み、前記通信方向規制手段を通ったコマンドデータが、前記図柄制御部のキャパシタを備えたポート部へ送られることを特徴とする弾球遊技機。」
　
２．引用例
　
２−１．引用例１に記載された発明
　当審が平成１３年９月２０日付けで通知した拒絶の理由に引用した特開平８−３２２９９３号公報（以下、「引用例１」という。）には、以下の事項が記載されている。
「【請求項１】　表示状態が変化可能な可変表示装置を有し、該可変表示装置の表示結果が予め定められた特定の表示態様になった場合に所定の遊技価値が付与可能となる遊技機であって、前記遊技機の遊技状態を制御する遊技制御基板と、前記可変表示装置を制御する可変表示制御基板と、前記遊技制御基板から前記可変表示制御基板に可変表示制御用の指令信号を伝送する指令信号伝送手段とを含み、該指令信号伝送手段は、表示方式の異なった複数種類の可変表示装置制御用の可変表示制御基板に対し共通して用いることのできる統一仕様の信号伝送手段で構成されていることを特徴とする、遊技機。」（特許請求の範囲）、
「図１は弾球遊技機（パチンコ遊技機）１の正面図であり」（段落【００１３】）、
「遊技制御基板ボックス８２内に収納される遊技制御基板に形成される遊技制御回路は、ブロック図で示すと図４のようになる。この遊技制御回路は、・・・可変表示装置駆動部１００に設けられる後述する回転ドラム制御基板（可変表示制御基板）１６５（金属ベースプリント配線基板によって構成されている）とも接続されて各種の信号をやりとりしている。」（段落【００３１】）、
「図４において、遊技制御回路は、ＣＰＵ２３９，ＲＯＭ，ＲＡＭ，入出力回路を含むメイン基本回路Ａ９０によって制御される。・・・基本回路９０は、可変表示装置の可変表示制御用の指令用信号（コマンドデータ）を８ビットのデータとしてコネクタＡ２０１，Ｂ２１２を介して可変表示制御基板１６５の基本回路１７５（図５参照）に出力する。」（段落【００３２】及び【００３３】）、
「図５は、可変表示制御基板１６５に設けられた可変表示制御回路を示すブロック図である。可変表示制御基板１６５には、ＣＰＵ２４０，ＲＯＭ，ＲＡＭ，入出力回路を含む基本回路Ｂ１７５が設けられている。前記コネクタＡ２０１とコネクタＢ２１２とを接続することにより、基本回路Ａ２３９から出力された可変表示制御指令信号（８ビットのコマンドデータ）が基本回路Ｂ１７５に入力される。」（段落【００３５】）、
「図８，図９は、遊技制御基板の基本回路９０から可変表示制御基板１６５の基本回路Ｂ１７５に出力される可変表示制御指令信号としてのコマンドデータを示す表を表わす図である。・・・ＣＯＭ３は、リール（ドラム）左停止図柄を指定するものである。そして、「００Ｈ」〜「１３Ｈ」の範囲内でリール左（左ドラム１２２Ａ）の予定停止図柄が指定される。・・・ＣＯＭ４は、リール中停止図柄を指定するコマンドであり、「００Ｈ」〜「１３Ｈ」の範囲内でリール中（中ドラム１２２Ｂ）の予定停止図柄を指定する。・・・ＣＯＭ５は、リール右停止図柄を指定するものであり、「００Ｈ」〜「１３Ｈ」の範囲内でリール右（右ドラム１２２Ｃ）の予定停止図柄を指定する。・・・ＣＯＭ８は、大当り図柄停止位置を指定するコマンドであり、「００Ｈ」〜「１３Ｈ」の範囲内で大当り図柄の停止位置が指定される。」（段落【００４８】乃至【００５５】）、
「図１０は、コマンドデータの転送方法を説明するためのタイミングチャートである。基本回路Ａ９０は、コネクタＡ２０１，コネクタＢ２１２を介して基本回路Ｂ１７５に前述したコマンドを出力する。基本回路Ａ９０から基本回路Ｂ１７５へのコマンドデータの転送は一方向の転送であり、基本回路Ｂ１７５は、基本回路Ａ９０へ自己のステータスを送信できない構成となっている。・・・したがって、前述の構成により、基本回路Ｂ１７５側での誤動作を防止するとともに、簡単なデータ転送を行なうことができ、回路構成およびデータバス構成を簡略化することが可能となる。」（段落【００６７】）、
「前述したコマンドデータの通信は、８ビットパラレル転送であり、１回の転送により８ビットのデータを転送する。・・・基本回路Ａ９０から出力される信号は、８ビットのデータラインと１本のＳＴＲＶ信号の合計９本の単一方向バスで構成される。送信側である基本回路Ａ９０は、出力データであるコマンドデータ１をデータラインに出力する（データラインはラッチ出力）と、その都度ＳＴＲＶ信号が５００μｓの間Ｈの状態で送信される。・・・基本回路Ｂ１７５は、ストローブ信号のパルス幅である５００ｂＳの間でデータ読込準備を完了させ、そのスラブ信号の立下がりのタイミングでコマンドデータを読込む。」（段落【００６８】及び【００６９】、
「図１１は、可変表示制御基板（ＬＣＤ制御基板）２１５に設けられた可変表示制御回路を示すブロック図である。この可変表示制御回路は、図５に示した可変表示制御回路とは表示方式の異なった種類の可変表示制御回路である。・・・この図１１に示すものは、後述する液晶表示装置２３７による画像表示制御を行なうタイプのものである。」（段落【００７０】）、
「可変表示制御基板（液晶制御基板）２１５には、基本回路Ｃ２１６、キャラクタＲＯＭ２１８、ＶＤＰ（Video Display Processor ）２１７、ＶＲＡＭ２１９、ワークＲＡＭ２２０、制御ＲＯＭ２２１、発振回路２２２およびリセット回路２２３が設けられている。基本回路Ｃ２１６は、ＣＰＵ２４１，入出力ポートを内蔵している。・・・この可変表示制御基板（液晶表示基板）の基本回路Ｃ２１６に接続されているコネクタＣ２１４と遊技制御基板側のコネクタＡ２０１とを接続して、基本回路Ａ９０からのコマンドデータ（図１３，図１４で後述する）がこの基本回路Ｃ２１６に伝送されるように構成する。基本回路Ｃ２１６は、遊技制御基板からのコマンドデータＤＡＴ１〜ＤＡＴ７、コマンドデータのスローブ信号ＳＴＲＶを受ける。」（段落【００７１】及び【００７２】）、
「基本回路Ｃ２１６は、受信したコマンドデータＤＡＴ１〜ＤＡＴ７に応答して、可変表示制御基板２１５に形成された回路全体を制御する。・・・ＬＣＤモジュールは、送信されてきたＲＧＢ信号および復号同期信号ＳＹＮＣに基づいて、ＬＣＤ表示器２２６に画像を表示する。」（段落【００７３】乃至【００７６】）、
「この図１１に示した表示方式の異なる他の可変表示制御回路も、図４に示した遊技制御基板の遊技制御回路にコネクタＣ２１４を介して接続できるように構成されている。」（段落【００７７】）、
「図１３は、図１１に示した液晶制御基板２１５を用いる場合の、遊技制御基板から送信されてくるコマンドデータを示す表を表わす図である。・・・ＣＯＭ３はリール左停止図柄を指定するためのコマンドである。ＣＯＭ４はリール中停止図柄を指定するためのコマンドである。ＣＯＭ５はリール右停止図柄を指定するためのコマンドである。」（段落【００８０】乃至【００８２】）、
「図３に記載された、弾球遊技機の一部内部構造を示す全体背面図」（図３）、
「図４に記載された、遊技制御基板に設けられている遊技制御回路を示すブロック図」（図４）、
「図５に記載された、可変表示制御基板（回転ドラム制御基板）に設けられている可変表示制御回路を示すブロック図」（図５）、
「図１０に記載された、コマンドデータの転送状態を示すタイミングチャート」（図１０）、
「図１１に記載された、可変表示制御基板（液晶制御基板）に設けられた可変表示制御回路を示すブロック図」（図１１）及び
「図１３に記載された、可変表示制御基板（液晶制御基板）に出力されるコマンドデータを示す表」（図１３）。
　上記遊技制御回路の基本回路から上記可変表示制御回路の基本回路へのコマンドデータの転送は、一方向の転送であり、上記遊技制御回路の基本回路から上記可変表示制御回路の基本回路に出力される信号は、８ビットのデータラインと１本のＳＴＲＶ信号の合計９本の単一方向バスで構成される。したがって、上記ストローブ信号はコマンドデータと分けられストローブ信号線を介して送信されるとともに、上記指令信号伝送手段は上記遊技制御回路と上記可変表示制御回路の間の通信方向を一方向に規制していると認められる。そして上記摘記した事項、特に図３の記載からみて、上記遊技制御回路のコネクタと上記可変表示制御回路のコネクタはハーネスを介して接続されていると認められる。
　また上記遊技制御回路及び可変表示制御回路が各々ポート部を備え、上記コマンドデータが上記遊技制御回路のポート部を通って上記可変表示回路のポート部に送られることは明らかである。
　以上のとおりであるから、引用例１には以下の発明が記載されている。
「８ビットパラレル転送されるコマンドデータと該コマンドデータと分けられストローブ信号線を介して上記コマンドデータが出力される都度送信されるストローブ信号とを通信可能にハーネスを介して接続された２つの制御部と、該制御部間の通信方向を一方向に規制する指令信号伝送手段とを含み、上記２つの制御部は、弾球遊技機の遊技状態を制御する遊技制御回路と、可変表示装置を制御する可変表示制御回路とであり、上記遊技制御回路のポート部を通った上記コマンドデータが上記可変表示回路のポート部に送られる弾球遊技機。」
　
２−２．引用例２に記載された発明
　当審が平成１３年９月２０日付けで通知した拒絶の理由に引用した特開平１０−１１３４４０号公報（以下、「引用例２」という。）には以下の事項が記載されている。
「【請求項１】電気的遊技装置を有する遊技盤を遊技機本体に対して着脱分離可能に配設するとともに、所要数の球を排出可能な球排出装置を設けた遊技機において、前記電気的遊技装置の遊技動作を制御する第１のマイクロコンピュータを有する遊技制御回路を設けるとともに、該遊技制御回路に対し個別に分離構成され前記球排出装置の排出動作を制御する第２のマイクロコンピュータを有する排出制御回路を設け、前記遊技制御回路に、前記球排出装置で排出される賞球数を設定する賞球数設定手段を具備させて、当該遊技制御回路から前記排出制御回路に向けて賞球排出に関わるデータを一方向にのみ送信するようにしたことを特徴とする遊技機。」（特許請求の範囲）、
「この発明は、電気的遊技装置を有する遊技盤を遊技機本体に対して着脱分離可能に配設すると共に、所要数の玉を排出可能な玉排出装置を設けたパチンコ遊技機等の遊技機に関する。」（段落【０００１】）、
「遊技制御回路から排出制御回路への一方向にのみ、賞球排出に関わるデータが送信されるので、排出制御回路から遊技制御回路への逆方向へのデータの送信が不可能となる。・・・更に、上記不正防止の他、通信配線の簡略化、或いは予め規定された限られたプログラム容量内で、効率よい迅速な排出制御を行える。」（段落【００１２】）、
「図１０には、上記のように構成されたパチンコ遊技機に設置された遊技制御回路として例示する役物制御装置６００の制御回路図の一例を示す。同図において、符号６００Ａを付して示すものは制御装置としてのコンピュータシステム（第１のコンピュータ）を構成する演算制御手段としての中央処理装置（ＣＰＵ）である。」（段落【００７７】及び【００７８】）、
「中央処理装置６００Ａに通ずるデータバスに沿って、パチンコ遊技機の各作動部に通ずるバッファゲート６５０、ラッチ回路６５１，６５２・・・等が配設され、」（段落【００８９】）、
「遊技中（通常遊技、特別遊技共）、変動入賞装置５０の一般入賞口５５中に入賞した遊技球はセーフセンサ１（１２９）に検出されその検出信号が中央処理装置６００Ａに入力されてカウントされた後、そのカウント数がＲＡＭ６０２中に記憶される。その記憶があるときにはＲＯＭ６０１中の固定データとしての賞球数設定手段により多い排出数（例えば、１３個）にセットされる。それがラッチ回路６５１にラッチされ、賞球数出力手段としての賞球数出力器６６３により裏メカ制御装置３００に出力されて、賞品球排出装置２２０による通常数の排出が行われる。」（段落【０１０３】）、
「図１３には、上記のように構成されたパチンコ遊技機に設置された裏メカ制御装置３００の制御回路図の一例を示す。同図において符号３００Ａを付して示すものは、制御装置３００を構成するマイクロコンピュータである。このマイクロコンピュータ３００Ａには第２のコンピュータとしての中央処理装置３０１・・・等を備えている。」（段落【０１１０】乃至【０１１２】）、
「マイクロコンピュータ３００Ａの入力側には、入力処理部３１０とインバータ３１１を介して役物制御装置６００の賞球数出力器６６３が接続されている。」（段落【０１１４】）、
「このようにしてマイクロコンピュータ３００Ａが作動状態になっているときに、役物制御回路（図１０）のセーフセンサ１（１２９）からの検出信号に基づく賞球排出が行われる場合は、賞球数出力器６６３を介して多い排出個数（例えば、１３個）の賞球出力信号が入力処理部３１０およびインバータ３１１を介して中央処理装置３００Ａに入力されて読み取られる。」（段落【０１２０】）、
「図１０に記載された、役物制御回路の制御回路図」（図１０）、及び
「図１３に記載された、裏メカ制御回路の制御回路図」（図１３）。
　上記摘記した事項からみて、引用例２には以下の発明が記載されている。
「電気的遊技装置の遊技動作を制御する第１のマイクロコンピュータを有する遊技制御回路と、該遊技制御回路に対し個別に分離構成され球排出装置の排出動作を制御する第２のマイクロコンピュータを有する排出制御回路を設け、上記遊技制御回路から上記排出制御回路に向けて賞球排出に関わるデータを一方向にのみ送信するようにしたパチンコ遊技機であって、ラッチ回路及び賞球数出力器が上記遊技制御回路に設けられるとともに、上記排出制御回路はキャパシタを備えた入力処理部を含み、上記ラッチ回路にラッチされた上記賞球排出に係わるデータが上記賞球数出力器により上記キャパシタを備えた入力処理部に送られるパチンコ遊技機。」
　
３．対比
　
　本願発明と引用例１に記載された発明を比較すると、引用例１に記載された発明の「８ビットパラレル転送されるコマンドデータ」、「コマンドデータと分けられストローブ信号線を介して上記コマンドデータが出力される都度送信されるストローブ信号」、「弾球遊技機の遊技状態を制御する遊技制御回路」、「可変表示装置を制御する可変表示制御回路」及び「遊技制御回路と可変表示制御回路の間の通信方向を一方向に規制する指令信号伝送手段」は、各々、本願発明の「複数ビットからなり並列に送信されるコマンドデータ」、「該コマンドデータと分けられストローブ信号線を介して前記コマンドデータの送信に合わせて送信されるストローブ信号」、「遊技を司り当否判定などの遊技状態を判断する主制御部」、「主制御部と接続され当りの場合に当り図柄を確定表示する図柄制御部」及び「少なくとも二つの該制御部間の通信方向を一方向に規制する通信方向規制手段」に相当する。
　そして引用例１に記載された発明の「上記遊技制御回路のポート部を通った上記コマンドデータが上記可変表示回路のポート部に送られる」と本願発明１の「通信方向規制手段を通ったコマンドデータが、図柄制御部のキャパシタを備えたポート部へ送られる」は、「主制御部側のポート部を通ったコマンドデータが図柄制御部のポート部に送られる」点で共通している。
　したがって本願発明と引用例１に記載された発明は、「複数ビットからなり並列に送信されるコマンドデータと該コマンドデータと分けられストローブ信号線を介して前記コマンドデータの送信に合わせて送信されるストローブ信号とを通信可能にハーネスを介して接続された少なくとも二つの制御部と、該制御部間の通信方向を一方向に規制する通信方向規制手段とを具備し、前記二つの制御部は、遊技を司り当否判定などの遊技状態を判断する主制御部と、該主制御部と接続され当りの場合に当り図柄を確定表示する図柄制御部とであり、上記主制御部側のポート部を通った上記コマンドデータが上記図柄制御部のポート部に送られる弾球遊技機。」の発明である点で一致し、前者は、上記通信方向規制手段が上記主制御部側のポート部に設けられるとともに、上記図柄制御部のポート部がキャパシタを備えるのに対し、後者は、上記通信方向規制手段が何処に設けられているか不明であるとともに、上記図柄制御部のポート部がキャパシタを備えていない点で相違する。
　
４．当審の判断
　
　そこで、上記相違点について検討する。
　本願発明と引用例２に記載された発明を比較すると、引用例２に記載された発明の「遊技制御回路」、「ラッチ回路及び賞球数出力器」、「ラッチ回路」及び「キャパシタを備えた入力処理部」は、各々、本願発明の「遊技を司り当否判定などの遊技状態を判断する主制御部」、「主制御部側のポート部」、「通信方向規制手段」及び「キャパシタを備えたポート部」に相当する。
　そして引用例１に記載された発明と引用例２に記載された発明は、「少なくとも二つの制御部と、該制御部間の通信方向を一方向に規制する通信方向規制手段とを具備する弾球遊技機。」という同一の技術分野に属するものであるから、引用例１に記載された発明に引用例２に記載された発明を適用することは、当業者が容易になし得る事項である。さらに引用例１に記載された発明の上記可変表示制御回路と引用例２に記載された発明の上記払出制御回路は、上記主制御部と通信可能に接続され、その通信方向が上記主制御部からの一方向に規制されている点で共通する。
　したがって、引用例１に記載された発明において上記相違点に係る本願発明のようにすることは、引用例２に記載された発明に基づき当業者が容易に想到し得る事項である。
　さらに、本願発明の奏する効果に、引用例１及び２に記載された発明が奏する効果の総和以上の顕著なものは認められない。
　
５．むすび
　
　よって本願発明は、引用例１及び２に記載された発明に基づき当業者が容易に発明をすることができたものであるから、特許法第２９条第２項の規定により特許を受けることができない。
　よって、結論のとおり審決する。